(57)【要約】      （修正有）【課題】多数のクリップや固定ピンを使用せずにシャツの折り畳み形状を効果的に保持し得るようにしたシャツの保形具を提供する。【解決手段】シャツ１の左右の側部５、７を背面側に折り返してから左右の袖部分６、８を更に畳んで折り重ね、その折り重ねた左右の袖部分６、８に被せるように裾部分１１を折り返して畳んだシャツ１の形状を保持するための保形具に関し、シャツ１の背面で左右の肩部分９、１０を相互に貼り合わせて固定する、裏面を粘着面とした短冊状の第一の保持テープ２と、シャツ１の背面で折り重ねた左右の袖部分６、８に被せるように折り返した裾部分１１をシャツ１の背面側に折り返した左右の側部５、７の折り目付近に対し貼り付けて固定する、裏面を粘着面とした短冊状の第二の保持テープとを備える。【選択図】図３
0003227210.tif 000002
【実用新案登録請求の範囲】
【請求項１】
シャツの左右の側部を背面側に折り返してから左右の袖部分を更に畳んで折り重ね、その折り重ねた左右の袖部分に被せるように裾部分を折り返して畳んだシャツの形状を保持するための保形具であって、前記シャツの背面で左右の肩部分を相互に貼り合わせて固定する第一の保持テープと、前記シャツの背面で折り重ねた左右の袖部分に被せるように折り返した裾部分を前記シャツの背面側に折り返した左右の側部の折り目付近に対し貼り付けて固定する第二の保持テープとを備えたことを特徴とするシャツの保形具。
【請求項２】
シャツの正面側に回し込んだ左右何れか一方の袖先を前記シャツの正面に貼り付けて固定する第三の保持テープを備えたことを特徴とする請求項１に記載のシャツの保形具。
【請求項３】
全ての保持テープが紙テープで構成されていることを特徴とする請求項１又は２に記載のシャツの保形具。
【請求項４】
全ての保持テープの表面に環境に配慮した梱包であることを意味する表示が印刷されていることを特徴とする請求項１、２又は３に記載のシャツの保形具。
【考案の詳細な説明】
【技術分野】
【０００１】
本考案は、出荷時に折り畳まれて包装されたシャツの形状を保持するための保形具に関するものである。
【背景技術】
【０００２】
従来、シャツを包装袋に装入して出荷する際には、シャツの背面上部に保形台紙を宛い、該保形台紙を包み込むようにしてシャツを折り畳み、多数のクリップや固定ピンによりシャツを保形台紙に留め付けて折り畳み形状を固定した上で包装袋に装入して出荷するようにしているため、消費者が購入後に包装袋を開封してシャツを取り出した際に、きれいに折り畳まれた状態のシャツを手に入れることができる。
【考案の概要】
【考案が解決しようとする課題】
【０００３】
しかしながら、包装袋から取り出したシャツは、多数のクリップや固定ピンにより保形台紙に留め付けられているため、これらのクリップや固定ピンを一つずつ抜き取らなければならず、消費者にとっては、開封後にクリップや固定ピンを抜き取る作業が面倒であると共に、保形台紙などの紙ゴミと分別しなければならない多数の不燃ゴミが出ることも煩わしいことであった。
【０００４】
また、近年においては、オンラインショップにて、自分の好きな型、生地、色、襟型などを選択し且つサイズを指定してオーダーメイドのシャツを発注し、これを自宅まで届けてもらうオンラインオーダーシステムの利用も珍しくなくなってきているが、このようなオーダーメイドのシャツの場合はオーダー元の消費者へ向けた個別発送となり、店頭販売用のシャツのように運搬時に多段に積み重ねるような状況を想定する必要がないため、既存の保形具を用いるほどの強度が求められていないという背景もある。
【０００５】
本考案は上述の実情に鑑みてなしたもので、多数のクリップや固定ピンを使用せずにシャツの折り畳み形状を効果的に保持し得るようにしたシャツの保形具を提供することを目的とする。
【課題を解決するための手段】
【０００６】
本考案は、シャツの左右の側部を背面側に折り返してから左右の袖部分を更に畳んで折り重ね、その折り重ねた左右の袖部分に被せるように裾部分を折り返して畳んだシャツの形状を保持するための保形具であって、前記シャツの背面で左右の肩部分を相互に貼り合わせて固定する第一の保持テープと、前記シャツの背面で折り重ねた左右の袖部分に被せるように折り返した裾部分を前記シャツの背面側に折り返した左右の側部の折り目付近に対し貼り付けて固定する第二の保持テープとを備えたことを特徴とするものである。
【０００７】
而して、このようにすれば、クリップや固定ピンを使用せずに第一の保持テープと第二の保持テープだけでシャツの折り畳み形状を効果的に保持することが可能となり、開封後に各保持テープを剥がすだけで済んで手間がかからず、該各保持テープを同じ素材とすることで分別作業を不要として煩わしさを軽減することも可能で、開封後に不要となる保形具の量が大幅に少なくなることで環境保護に大きく寄与せしめることも可能となる。
【０００８】
また、本考案においては、シャツの正面側に回し込んだ左右何れか一方の袖先を前記シャツの正面に貼り付けて固定する第三の保持テープを備えることも可能であり、このようにすれば、折り畳まれたシャツを正面から見ただけで半袖か長袖かを判別することが可能となる。
【０００９】
更に、本考案においては、全ての保持テープが紙テープで構成されていることが好ましく、このようにすれば、開封後に不要となる保形具が全て紙ゴミとなって廃棄処理が容易となり、近年における脱プラスチックの流れにも沿った取り組みとなる。
【００１０】
また、全ての保持テープの表面に環境に配慮した梱包であることを意味する表示が印刷されていることが好ましく、このようにすれば、消費者に対し既存の保形具から保持テープに変更した意図を理解させて企業イメージの向上を図ることが可能となる一方、消費者の環境保護への意識を高めることが可能となる。
【考案の効果】
【００１１】
上記した本考案のシャツの保形具によれば、下記の如き種々の優れた効果を奏し得る。
【００１２】
（Ｉ）本考案の請求項１に記載の発明によれば、多数のクリップや固定ピンを使用せずに各保持テープによりシャツの折り畳み形状を効果的に保持することができるので、従来の如き開封後にクリップや固定ピンを抜き取る作業を不要として大幅に手間を省くことができると共に、該各保持テープを同じ素材とすることで分別作業を不要として煩わしさを軽減することもでき、開封後に不要となる保形具の量も大幅に減らして環境保護に大きく寄与せしめることができ、環境に優しく廃棄処理も容易なシャツの保形具を実現することができる。
【００１３】
（ＩＩ）本考案の請求項２に記載の発明によれば、シャツの正面側に回し込んだ左右何れか一方の袖先を見れば、折り畳まれているシャツが半袖か長袖かを判別することができ、しかも、そのシャツの正面側に回し込んだ袖先を良好に保持することができる。
【００１４】
（ＩＩＩ）本考案の請求項３に記載の発明によれば、全ての保持テープを紙テープで構成することにより、開封後に不要となる保形具を全て紙ゴミとして廃棄処理を容易に行うことができ、近年における脱プラスチックの流れにも対応させることができる。
【００１５】
（ＩＶ）本考案の請求項４に記載の発明によれば、全ての保持テープの表面に環境に配慮した梱包であることを意味する表示を印刷することにより、消費者に対し既存の保形具から保持テープに変更した意図を理解させて企業イメージの向上を図ることができると共に、消費者の環境保護への意識を高めることができる。
【図面の簡単な説明】
【００１６】
【図１】本考案を実施する形態の一例を示すシャツの折り畳み前の状態を示す背面側から見た平面図である。
【図２】図１のシャツの左の側部を背面側に折り返してから左の袖部分を畳んだ状態を示す平面図である。
【図３】図２のシャツの右の側部を背面側に折り返してから右の袖部分を畳んだ状態を示す平面図である。
【図４】図３のシャツの背面で折り重ねた左右の袖部分を第一の保持テープにより相互に貼り合わせて固定した状態を示す拡大図である。
【図５】シャツの背面で折り重ねた左右の袖部分に裾部分を二度折り返して被せた状態を示す平面図である。
【図６】折り返した裾部分の上部両側をシャツの背面側に折り返した左右の側部の折り目付近に対し第二の保持テープにより貼り付けて固定した状態を示す拡大図である。
【図７】図５の状態に折り畳んだシャツを正面側から見た平面図である。
【図８】シャツの正面側に折り返された袖先を第三の保持テープによりシャツの正面に貼り付けて固定した状態を示す拡大図である。
【考案を実施するための形態】
【００１７】
以下本考案の実施の形態を図示例と共に説明する。
【００１８】
図１〜図８は本考案の実施の形態の一例を示すもので、本形態例においては、出荷時に折り畳まれて包装されたシャツ１の形状を保持するための保形具として、紙テープで構成された第一の保持テープ２と、第二の保持テープ３と、第三の保持テープ４とを備えているが、これら各保持テープ２，３，４により折り畳み形状を保持されるシャツ１は、以下に詳述する如き一般的な形式で折り畳まれるようになっている。
【００１９】
即ち、図１はシャツ１を背面側から見た状態を示しているが、シャツ１の左の側部５を図１中の一点鎖線に沿い背面側に折り返してから左の袖部分６を畳み込むと図２に示す如き状態となり、次いで、シャツ１の右の側部７を図２中の一点鎖線に沿い背面側に折り返してから右の袖部分８を畳み込んで前記左の袖部分６に折り重ねると図３に示す如き状態となるので、図４に拡大して示す如く、前記シャツ１の背面で折り重ねた左右の肩部分９，１０（袖ぐり付近）を、前記第一の保持テープ２により相互に貼り合わせて固定するようにしている。
【００２０】
更に、前記シャツ１の背面で折り重ねた左右の袖部分６，８に被せるように図３中の一点鎖線に沿い裾部分１１を二度折り返すと図５に示す如き状態となるので、図６に拡大して示す如く、その折り返した裾部分１１の上部両側を、前記シャツ１の背面側に折り返した左右の側部５，７の折り目付近に対し前記第二の保持テープ３により貼り付けて固定してある。
【００２１】
また、ここに図示している例の場合、先の図３の段階で右の袖先１２をシャツ１の正面側に回し込むようにして折り畳んでおり、図５の状態に折り畳んだシャツ１を正面側から見ると、図７に示す如く、右の袖先１２がシャツ１の正面側に折り返された形となるので、図８に拡大して示す如く、この袖先１２を前記第三の保持テープ４により前記シャツ１の正面（右胸あたり）に貼り付けて固定している。
【００２２】
ここで、図４、図６、図８に拡大して示してある通り、全ての保持テープ２，３，４の表面には、環境に配慮した梱包であることを意味する表示が印刷されており、例えば、「earth conscious package」などといったロゴマーク１５を白地にグリーン系の色で印刷しておくことが好ましい。
【００２３】
尚、シャツ１の衿１３と衿台１４との間には、これら衿１３や衿台１４の型崩れを防ぐためのカラーサポータを必要に応じて挟み込んでおくと良く、この種のカラーサポータには、帯状の厚紙などで作ったものを用いると良い。
【００２４】
而して、このようにすれば、クリップや固定ピンを使用せずに第一の保持テープ２と第二の保持テープ３だけでシャツ１の折り畳み形状を効果的に保持することが可能となり、開封後に各保持テープ２，３，４を剥がすだけで済んで手間がかからず、該各保持テープ２，３，４を同じ素材とすることで分別作業を不要として煩わしさを軽減することも可能で、開封後に不要となる保形具の量が大幅に少なくなることで環境保護に大きく寄与せしめることも可能となり、特に本形態例のように、シャツ１の正面側に回し込んだ右の袖先１２を前記シャツ１の正面に貼り付けて固定する第三の保持テープ４を備えておけば、折り畳まれたシャツ１を正面から見ただけで半袖か長袖かを判別することができて便利である。
【００２５】
従って、上記形態例によれば、多数のクリップや固定ピンを使用せずに各保持テープ２，３，４によりシャツ１の折り畳み形状を効果的に保持することができるので、従来の如き開封後にクリップや固定ピンを抜き取る作業を不要として大幅に手間を省くことができると共に、該各保持テープ２，３，４を同じ素材とすることで分別作業を不要として煩わしさを軽減することもでき、開封後に不要となる保形具の量も大幅に減らして環境保護に大きく寄与せしめることができ、環境に優しく廃棄処理も容易なシャツ１の保形具を実現することができる。
【００２６】
また、シャツ１の正面側に回し込んだ右の袖先１２を見れば、折り畳まれているシャツ１が半袖か長袖かを判別することができ、しかも、そのシャツ１の正面側に回し込んだ袖先１２を良好に保持することができる。
【００２７】
更に、全ての保持テープ２，３，４を紙テープで構成しておけば、開封後に不要となる保形具を全て紙ゴミとして廃棄処理を容易に行うことができ、近年における脱プラスチックの流れにも対応させることができる。
【００２８】
また、全ての保持テープ２，３，４の表面に環境に配慮した梱包であることを意味する表示を印刷しておけば、消費者に対し既存の保形具から保持テープに変更した意図を理解させて企業イメージの向上を図ることができると共に、消費者の環境保護への意識を高めることができる。
【００２９】
尚、本考案のシャツの保形具は、上述の形態例にのみ限定されるものではなく、左右何れか一方の袖先を必ずしもシャツの正面側に回し込ませなくても良く、また、全ての保持テープを必ずしも紙テープで構成しなくても良いし、全ての保持テープの表面に環境に配慮した梱包であることを意味する表示を必ずしも印刷しなくても良いこと、その他、本考案の要旨を逸脱しない範囲内において種々変更を加え得ることは勿論である。
【符号の説明】
【００３０】
１      シャツ
２      第一の保持テープ
３      第二の保持テープ
４      第三の保持テープ
５      側部
６      袖部分
７      側部
８      袖部分
９      肩部分
１０    肩部分
１１    裾部分
１２    袖先
【図１】
0003227210.tif 000003
【図２】
0003227210.tif 000004
【図３】
0003227210.tif 000005
【図４】
0003227210.tif 000006
【図５】
0003227210.tif 000007
【図６】
0003227210.tif 000008
【図７】
0003227210.tif 000009
【図８】
0003227210.tif 000010
【手続補正書】
【提出日】令和2年5月18日(2020.5.18)
【手続補正１】
【補正対象書類名】明細書
【補正対象項目名】０００６
【補正方法】変更
【補正の内容】
【０００６】
本考案は、シャツの左右の側部を背面側に折り返してから左右の袖部分を更に畳んで折り重ね、その折り重ねた左右の袖部分に被せるように裾部分を折り返して畳んだシャツの形状を保持するための保形具であって、前記シャツの背面で左右の肩部分を相互に貼り合わせて固定し得るよう裏面を粘着面とした短冊状の第一の保持テープと、前記シャツの背面で折り重ねた左右の袖部分に被せるように折り返した裾部分を前記シャツの背面側に折り返した左右の側部の折り目付近に対し貼り付けて固定し得るよう裏面を粘着面とした短冊状の第二の保持テープとを備えたことを特徴とするものである。
【手続補正２】
【補正対象書類名】明細書
【補正対象項目名】０００８
【補正方法】変更
【補正の内容】
【０００８】
また、本考案においては、シャツの正面側に回し込んだ左右何れか一方の袖先を前記シャツの正面に貼り付けて固定し得るよう裏面を粘着面とした短冊状の第三の保持テープを備えることも可能であり、このようにすれば、折り畳まれたシャツを正面から見ただけで半袖か長袖かを判別することが可能となる。
【手続補正３】
【補正対象書類名】明細書
【補正対象項目名】０００９
【補正方法】変更
【補正の内容】
【０００９】
更に、本考案においては、全ての保持テープが、裏面を粘着面とした短冊状の紙テープで構成されていることが好ましく、このようにすれば、開封後に不要となる保形具が全て紙ゴミとなって廃棄処理が容易となり、近年における脱プラスチックの流れにも沿った取り組みとなる。
【手続補正４】
【補正対象書類名】明細書
【補正対象項目名】００１８
【補正方法】変更
【補正の内容】
【００１８】
図１〜図８は本考案の実施の形態の一例を示すもので、本形態例においては、出荷時に折り畳まれて包装されたシャツ１の形状を保持するための保形具として、裏面を粘着面とした短冊状の紙テープで夫々構成された第一の保持テープ２と、第二の保持テープ３と、第三の保持テープ４とを備えているが、これら各保持テープ２，３，４により折り畳み形状を保持されるシャツ１は、以下に詳述する如き一般的な形式で折り畳まれるようになっている。
【手続補正５】
【補正対象書類名】実用新案登録請求の範囲
【補正対象項目名】全文
【補正方法】変更
【補正の内容】
【実用新案登録請求の範囲】
【請求項１】
シャツの左右の側部を背面側に折り返してから左右の袖部分を更に畳んで折り重ね、その折り重ねた左右の袖部分に被せるように裾部分を折り返して畳んだシャツの形状を保持するための保形具であって、前記シャツの背面で左右の肩部分を相互に貼り合わせて固定し得るよう裏面を粘着面とした短冊状の第一の保持テープと、前記シャツの背面で折り重ねた左右の袖部分に被せるように折り返した裾部分を前記シャツの背面側に折り返した左右の側部の折り目付近に対し貼り付けて固定し得るよう裏面を粘着面とした短冊状の第二の保持テープとを備えたことを特徴とするシャツの保形具。
【請求項２】
シャツの正面側に回し込んだ左右何れか一方の袖先を前記シャツの正面に貼り付けて固定し得るよう裏面を粘着面とした短冊状の第三の保持テープを備えたことを特徴とする請求項１に記載のシャツの保形具。
【請求項３】
全ての保持テープが、裏面を粘着面とした短冊状の紙テープで構成されていることを特徴とする請求項１又は２に記載のシャツの保形具。
【請求項４】
全ての保持テープの表面に環境に配慮した梱包であることを意味する表示が印刷されていることを特徴とする請求項１、２又は３に記載のシャツの保形具。